(57)【要約】【課題】書き換え速度が遅い表示体において情報の漏洩をより効果的に防止すること。【解決手段】情報表示装置は、表示面を有し、前記表示面の表示内容を書き換え可能な第１の表示体と、前記表示面に重ねて配置され、描画された部分では前記表示面からの光を遮断し、描画されていない部分では前記表示面からの光を透過し、前記第１の表示体よりも書き換え速度が速い第２の表示体と、所定の条件を満たした場合、前記表示面からの光を遮断するように、前記第２の表示体を制御する第１の表示制御手段とを有する。【選択図】図１
2009122434.tif 000002
【特許請求の範囲】
【請求項１】
記憶性表示素子により表示される表示面を有し、前記表示面の表示内容を書き換え可能な第１の表示体と、
前記表示面に重ねて配置され、描画された部分では前記表示面からの光を遮断し、描画されていない部分では前記表示面からの光を透過し、前記第１の表示体よりも書き換え速度が速い第２の表示体と、
所定の条件を満たした場合、前記表示面からの光を遮断するように、前記第２の表示体を制御する第１の表示制御手段と
を有する情報表示装置。
【請求項２】
前記第１の表示制御手段により、前記表示面からの光を遮断するように前記第２の表示体が制御された後、前記第１の表示体に表示されている画像を消去するよう前記第１の表示体を制御する第２の表示制御手段を有し、
前記第１の表示制御手段は、前記第２の表示制御手段により前記第１の表示体に表示されている画像が消去された後、前記表示面からの光を透過するように、前記第２の表示体を制御する
ことを特徴とする請求項１に記載の情報表示装置。
【請求項３】
ユーザの認証を行う認証手段を有し、
前記第２の表示制御手段は、前記認証手段により前記ユーザが認証された場合、前記第２の表示制御手段により消去された画像を再び表示するよう前記第１の表示体を制御する
ことを特徴とする請求項２に記載の情報表示装置。
【請求項４】
前記第１の表示体に表示される画像を示すデータを記憶する画像記憶手段と、
前記画像のうち秘匿されるべき部分を特定するデータを記憶する秘匿部分記憶手段と
を有し、
前記第１の表示制御手段が、前記表示面のうち前記秘匿部分記憶手段に記憶されたデータにより特定される部分からの光を遮断するように、前記第２の表示体の表示を制御する
ことを特徴とする請求項１に記載の情報表示装置。
【請求項５】
前記第１の表示体に表示される画像を示すデータを記憶する画像記憶手段と、
前記画像のうち秘匿されるべき部分を特定するデータを入力する秘匿データ入力手段と
を有し、
前記第１の表示制御手段が、前記表示面のうち前記秘匿データ入力手段により入力されたデータにより特定される部分からの光を遮断するように、前記第２の表示体の表示を制御する
ことを特徴とする請求項１に記載の情報表示装置。
【請求項６】
データを含む無線信号を受信する受信手段を有し、
前記秘匿データ入力手段が、前記受信手段により受信された無線信号に含まれるデータを入力する
ことを特徴とする請求項５に記載の情報表示装置。
【請求項７】
無線信号の強度を検出する検出手段を有し、
前記第１の表示制御手段が、前記検出手段により検出された無線信号の強度が所定の条件を満たした場合、前記表示面からの光を遮断するように、前記第２の表示体を制御する
ことを特徴とする請求項１に記載の情報表示装置。
【請求項８】
光の強度を検出する検出手段を有し、
前記第１の表示制御手段が、前記検出手段により検出された光の強度が所定の条件を満たした場合、前記表示面からの光を遮断するように、前記第２の表示体を制御する
ことを特徴とする請求項１に記載の情報表示装置。
【請求項９】
ユーザの操作に応じた信号を出力する操作子を有し、
前記第１の表示制御手段が、前記操作子から出力される信号が所定の条件を満たした場合、前記表示面からの光を遮断するように、前記第２の表示体を制御する
ことを特徴とする請求項１に記載の情報表示装置。
【請求項１０】
記憶性表示素子により表示される表示面を有し、前記表示面の表示内容を書き換え可能な第１の表示体と、前記表示面に重ねて配置され、描画された部分では前記表示面からの光を遮断し、描画されていない部分では前記表示面からの光を透過し、前記第１の表示体よりも書き換え速度が速い第２の表示体とを有する情報表示装置に、
所定の条件を満たした場合、前記表示面からの光を遮断するように、前記第２の表示体を制御するステップ
を実行させるプログラム。
【発明の詳細な説明】
【技術分野】
【０００１】
本発明は、２つの表示体を有する情報表示装置を制御する技術に関する。
【背景技術】
【０００２】
コレステリック液晶ディスプレイや電気泳動ディスプレイ（Electrophoretic Display、以下「ＥＰＤ」という）等、記憶性表示素子を有する表示体（以下、「記憶性表示体」という）は、表示を保持するのに電力を必要としないという特性を有している。この特性を生かし、いわゆる電子ペーパや電子ブックのような、紙に似た特性を有する情報表示装置が開発されている。
【０００３】
いかし、電力を供給しなくても表示を維持できるということは、逆に言うと情報の漏洩が起こりやすいということである。特許文献１は、記憶性表示体（特に、記憶性液晶）において情報の漏洩を防ぐ技術を開示している。特許文献１によれば、あるトリガを元に記憶性液晶の表示の一部が書き換えられ、これにより情報の流出が防がれる。また、特許文献２は、表示装置に表示されたコンテンツをユーザがコピーすることを防ぐ技術を開示している。特許文献２によれば、表示装置に表示されたコンテンツが複写機でコピーされると、そのコンテンツの表示は禁止される。
【０００４】
【特許文献１】特開２００２−１０８２６７号公報
【特許文献２】特開２００７−０８８８５４号公報
【発明の開示】
【発明が解決しようとする課題】
【０００５】
一般に記憶性表示素子は、非記憶性表示素子と比較すると書き換えの速度が遅い。そのため、瞬時に情報を消去することは困難である。特許文献１によっても、記憶性液晶の表示が書き換わる前にコピーを撮られてしまえば情報が流出してしまう。また特許文献２によっても、一度とはいえコンテンツのコピーは撮られてしまう。
【０００６】
これに対し本発明は、記憶性表示素子のように書き換え速度が遅い表示体において情報の漏洩をより効果的に防止する技術を提供する。
【課題を解決するための手段】
【０００７】
上述の課題を解決するため、本発明は、記憶性表示素子により表示される表示面を有し、前記表示面の表示内容を書き換え可能な第１の表示体と、前記表示面に重ねて配置され、描画された部分では前記表示面からの光を遮断し、描画されていない部分では前記表示面からの光を透過し、前記第１の表示体よりも書き換え速度が速い第２の表示体と、所定の条件を満たした場合、前記表示面からの光を遮断するように、前記第２の表示体を制御する第１の表示制御手段とを有する情報表示装置を提供する。
この情報表示装置によれば、所定の条件を満たした場合、表示面からの光が遮断される。
【０００８】
好ましい態様において、この情報表示装置は、前記第１の表示制御手段により、前記表示面からの光を遮断するように前記第２の表示体が制御された後、前記第１の表示体に表示されている画像を消去するよう前記第１の表示体を制御する第２の表示制御手段を有し、前記第１の表示制御手段は、前記第２の表示制御手段により前記第１の表示体に表示されている画像が消去された後、前記表示面からの光を透過するように、前記第２の表示体を制御してもよい。
この情報表示装置によれば、第１の表示体に表示されている画像が消去された後、表示面からの光を透過するように、第２の表示体が制御される。
【０００９】
別の好ましい態様において、この情報表示装置は、ユーザの認証を行う認証手段を有し、前記第２の表示制御手段は、前記認証手段により前記ユーザが認証された場合、前記第２の表示制御手段により消去された画像を再び表示するよう前記第１の表示体を制御してもよい。
この情報表示装置によれば、ユーザが認証された場合、消去された画像が再び表示される。
【００１０】
さらに別の好ましい態様において、この情報表示装置は、前記第１の表示体に表示される画像を示すデータを記憶する画像記憶手段と、前記画像のうち秘匿されるべき部分を特定するデータを記憶する秘匿部分記憶手段とを有し、前記第１の表示制御手段が、前記表示面のうち前記秘匿部分記憶手段に記憶されたデータにより特定される部分からの光を遮断するように、前記第２の表示体の表示を制御してもよい。
この情報表示装置によれば、秘匿部分記憶手段に記憶されたデータにより特定される部分からの光を遮断するように、第２の表示体の表示が制御される。
【００１１】
さらに別の好ましい態様において、この情報表示装置は、前記第１の表示体に表示される画像を示すデータを記憶する画像記憶手段と、前記画像のうち秘匿されるべき部分を特定するデータを入力する秘匿データ入力手段とを有し、前記第１の表示制御手段が、前記表示面のうち前記秘匿データ入力手段により入力されたデータにより特定される部分からの光を遮断するように、前記第２の表示体の表示を制御してもよい。
この情報表示装置によれば、秘匿データ入力手段により入力されたデータにより特定される部分からの光を遮断するように、第２の表示体の表示が制御される。
【００１２】
さらに別の好ましい態様において、この情報表示装置は、データを含む無線信号を受信する受信手段を有し、前記秘匿データ入力手段が、前記受信手段により受信された無線信号に含まれるデータを入力してもよい。
この情報表示装置によれば、受信手段により受信された無線信号に含まれるデータにより特定される部分からの光を遮断するように、第２の表示体の表示が制御される。
【００１３】
さらに別の好ましい態様において、この情報表示装置は、無線信号の強度を検出する検出手段を有し、前記第１の表示制御手段が、前記検出手段により検出された無線信号の強度が所定の条件を満たした場合、前記表示面からの光を遮断するように、前記第２の表示体を制御してもよい。
この情報表示装置によれば、無線信号の強度が所定の条件を満たした場合、表示面からの光を遮断するように第２の表示体が制御される。
【００１４】
さらに別の好ましい態様において、この情報表示装置は、光の強度を検出する検出手段を有し、前記第１の表示制御手段が、前記検出手段により検出された光の強度が所定の条件を満たした場合、前記表示面からの光を遮断するように、前記第２の表示体を制御してもよい。
この情報表示装置によれば、光の強度が所定の条件を満たした場合、表示面からの光を遮断するように第２の表示体が制御される。
【００１５】
さらに別の好ましい態様において、この情報表示装置は、ユーザの操作に応じた信号を出力する操作子を有し、前記第１の表示制御手段が、前記操作子から出力される信号が所定の条件を満たした場合、前記表示面からの光を遮断するように、前記第２の表示体を制御してもよい。
この情報表示装置によれば、操作子に対して所定の操作が行われた場合、表示面からの光を遮断するように第２の表示体が制御される。
【００１６】
また、本発明は、記憶性表示素子により表示される表示面を有し、前記表示面の表示内容を書き換え可能な第１の表示体と、前記表示面に重ねて配置され、描画された部分では前記表示面からの光を遮断し、描画されていない部分では前記表示面からの光を透過し、前記第１の表示体よりも書き換え速度が速い第２の表示体とを有する情報表示装置に、所定の条件を満たした場合、前記表示面からの光を遮断するように、前記第２の表示体を制御するステップを実行させるプログラムを提供する。
このプログラムによれば、所定の条件を満たした場合、表示面からの光が遮断される。
【発明を実施するための最良の形態】
【００１７】
１．構成
図１は、本発明の一実施形態に係る情報表示装置１の機能構成を示す図である。表示体１１（第１の表示体）は、表示面を有し、表示面に表示される内容を書き換え可能な表示体である。表示内容の書き換えは、ある書き換え速度で行われる。表示体１２（第２の表示体）は、表示体１１の表示面に重ねて配置された表示体である。すなわち表示体１２は、表示体１１よりもユーザの視点に近い位置に配置されている。表示体１２も、表示面を有し、その内容を書き換え可能な表示体である。表示体１２の書き換え速度は、表示体１１の書き換え速度よりも速い。表示体１２の表示面のうち、描画された部分では表示体１１の表示面からの光を遮断し、描画されていない部分では表示体１１の表示面からの光を透過する。表示制御部１３（第１の表示制御手段）は、所定の条件を満たした場合、表示体１１の表示面からの光を遮断するように、表示体１２を制御する。
【００１８】
表示制御部１４（第２の表示制御手段）は、表示制御部１３により表示体１１の表示面からの光を遮断するように表示体１２が制御された後、表示体１１に表示されている画像の少なくとも一部を消去するよう表示体１１を制御する。また、表示制御部１３は、表示制御部１４により表示体１１に表示されている画像が消去された後、表示体１１の表示面からの光を透過するように、表示体１２を制御する。
【００１９】
検出部１５は、情報表示装置１の状態を検出する。表示制御部１３は、検出部１５により検出された状態が所定の条件を満たした場合、表示体１１の表示面からの光を遮断するように、表示体１２を制御する。
【００２０】
画像記憶部１６は、表示体１１に表示される画像を示すデータを記憶する。秘匿部分記憶部１７は、その画像のうち秘匿されるべき部分を特定するデータを記憶する。また、表示制御部１３は、表示体１１の表示面のうち秘匿部分記憶部１７に記憶されたデータにより特定される部分からの光を遮断するように、表示体１２の表示を制御する。
【００２１】
認証部１８は、ユーザの認証を行う。また、表示制御部１４は、認証部１８によりユーザが認証された場合、表示制御部１４により消去された画像を再び表示するよう表示体１１を制御する。
【００２２】
図２は、情報表示装置１のハードウェア構成を示す図である。ＣＰＵ（Central Processing Unit）１０１は、情報表示装置１の構成要素を制御する制御装置である。ＲＯＭ（Read Only Memory）１０２は、情報表示装置１の起動に必要なプログラムやデータを記憶する不揮発性の記憶装置である。ＲＡＭ（Random Access Memory）１０３は、ＣＰＵ１０１がプログラムを実行する際のワークエリアとして機能する記憶装置である。ＶＲＡＭ（Video Random Access Memory）１０４は、メイン表示体１０７およびサブ表示体１０９に表示させる画像（それぞれ「メイン画像」および「サブ画像」という）を示すデータを記憶する記憶装置である。ＶＲＡＭ１０４は、メイン画像およびサブ画像の記憶領域を有しており、メイン画像およびサブ画像はそれぞれ対応する記憶領域に記憶される。以下、ＶＲＡＭ１０４においてメイン画像に対応する記憶領域を「メイン記憶領域」といい、サブ画像に対応する記憶領域を「サブ記憶領域」という。Ｉ／Ｏ（Input/Output）１０５は、データや信号の入出力を管理するインターフェースである。ＵＩ（User Interface）ボタン群１０６は、ユーザの操作に応じた信号を出力する装置、例えば、例えば、ボタン（書き換えボタンやページ送りボタン、決定ボタンなど）・キーパッド・タッチパネル・ペンデバイスなどの操作子を含む入力装置である。補助記憶装置１１５は、メイン表示体１０７またはサブ表示体１０９に表示することが可能なデータを記憶する記憶装置である。ＵＩボタン群１０６はＩ／Ｏ１０５に接続されており、ＵＩボタン群１０６から出力された信号はＩ／Ｏ１０５を介してＣＰＵ１０１に入力される。
【００２３】
補助記憶装置１１５は、メイン画像となるコンテンツ・サブ画像となる属性データ・その他のデータを記憶する不揮発性の記憶装置、例えばハードディスクドライブやフラッシュメモリである。「コンテンツ」とは、メイン表示体１０７に画像として表示される情報、例えば文書である。「文書」とは文字および画像の少なくとも一方を含む情報をいう。具体的に、補助記憶装置１１５は、あるコンテンツについて、ある単位、例えばページ毎にそのページに対応する属性、例えばコメントを記憶している。このように補助記憶装置１１５は、少なくとも１単位の情報を含むコンテンツと、そのコンテンツに含まれる情報のうちある単位に対応する属性を記憶している。コンテンツの単位は、例えば、ページ・見開きページ・ページよりも小さい形式的な単位（例えばカラム）・ページとは独立した意味上の集合（例えば段落）などである。属性は、例えば、コメント・作成日・作成者・タイトル・ファイルサイズなどである。
【００２４】
メイン表示体１０７（第１の表示体）は、記憶性表示素子を有する表示体、例えばコレステリック液晶ディスプレイやＥＰＤである。メイン表示制御部１０８は、メイン表示体１０７の描画制御を行う信号を出力する装置である。以下、必要に応じてメイン表示体１０７とメイン表示制御部１０８をあわせて「メインディスプレイ」という。サブ表示体１０９（第２の表示体）は、記憶性表示素子以外の表示素子を有する表示体、例えば超ねじれネマチック液晶ディスプレイ（Super Twisted Nematic Liquid Crystal Display、ＳＴＮ−ＬＣＤ）である。サブ表示体１０９の表示書き換え速度は、メイン表示体１０７よりも速い。サブ表示制御部１１０は、サブ表示体１０９の描画制御を行う信号を出力する装置である。以下、必要に応じてサブ表示体１０９とサブ表示制御部１１０をあわせて「サブディスプレイ」という。電源オン・オフ回路１１１は、メイン表示制御部１０８およびサブ表示制御部１１０への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御してメイン表示制御部１０８およびサブ表示制御部１１０の電源をオンまたはオフする。また、電源制御部１１２は、電池１１３の残量を監視する。電池１１３は、メイン表示制御部１０８・サブ表示制御部１１０・ＣＰＵ１０１・ＲＡＭ１０３など、情報表示装置１の構成要素に電力を供給する。バス１１４は、構成要素間での信号の伝送に用いられる伝送路である。
【００２５】
無線受信部１１６は、ある周波数帯の無線信号を受信し、受信した無線信号に応じた信号を出力する装置である。無線受信部１１６はＩ／Ｏ１０５に接続されており、無線受信部１１６から出力された信号はＩ／Ｏ１０５を介してＣＰＵ１０１に入力される。
【００２６】
指紋センサ１１７は、ユーザの指紋を光学的に読み取り、読み取った指紋の画像を示す信号を出力する装置である。指紋センサ１１７はＩ／Ｏ１０５に接続されており、無線受信部１１６から出力された信号はＩ／Ｏ１０５を介してＣＰＵ１０１に入力される。
【００２７】
ＲＯＭ１０２は、以下で説明する処理を行う制御プログラムを記憶している。ＣＰＵ１０１がこの制御プログラムを実行することにより、図１に示される機能が情報表示装置１に実装される。
【００２８】
図３は、情報表示装置１の外観を示す図である。図４は、メイン表示体１０７およびサブ表示体１０９の配置を示す分解斜視図である。図３においてメイン表示体１０７およびサブ表示体１０９を示す実線は、これらの表示面を示している。表示面とは、表示が行われる領域、すなわち表示素子が配置されている面をいう。図４に示されるように、サブ表示体１０９は、メイン表示体１０７の表示面に重ねて配置されている。サブ表示体１０９の表示面のうち、描画された部分ではメイン表示体１０７の表示面からの光を遮断し、描画されていない部分ではメイン表示体１０７の表示面からの光を透過する。ここで「描画された部分」とは、ユーザの視点からの光を反射する状態に表示素子（液晶）の光学状態が変化するようなデータが書き込まれた部分をいう。「描画されていない部分」とは、ユーザの視点からの光を透過する状態に表示素子の光学状態が変化するようなデータが書き込まれた部分をいう。
【００２９】
２．動作
図５は、情報表示装置１の動作を示すフローチャートである。図５のフローは、例えば書き換えボタンが押されたことを契機として開始される。以下、情報表示装置１の状態として無線信号の強度が検出される例について説明する。この例で、情報表示装置１は、所定の空間（例えばある部屋）において用いられる。この部屋には無線信号を出力するアンテナが設けられている。情報表示装置１が部屋の内部にあるときは、情報表示装置１が受信する無線信号の強度はあるしきい値以上であるが、情報表示装置１が部屋の外に持ち出されると、情報表示装置１が受信する無線信号の強度はあるしきい値未満となる。
【００３０】
ステップＳ１０１において、ＣＰＵ１０１は、メインディスプレイにメイン画像を表示させる。詳細には以下のとおりである。ＣＰＵ１０１は、補助記憶装置１１５から表示対象となる画像示すデータを読み出し、読み出したデータをＶＲＡＭ１０４のメイン記憶領域に記憶する。メイン表示制御部１０８は、メイン記憶領域に記憶されたデータに従ってメイン表示体１０７を制御し、メイン画像を表示させる。
【００３１】
図６は、メイン画像を例示する図である。この例でメイン画像は「報告書」と題された文書のうちあるページの画像である。ここで補助記憶装置１１５は、メイン画像に対応するサブ画像を示すデータ、すなわちメイン画像のうち秘匿されるべき部分を特定するデータをあらかじめ記憶している。ＣＰＵ１０１は、補助記憶装置１１５からメイン画像に対応するサブ画像を示すデータを読み出し、読み出したデータをＶＲＡＭ１０４のサブ記憶領域に記憶する。
【００３２】
再び図５を参照して説明する。ステップＳ１０２において、ＣＰＵ１０１は、情報表示装置１の状態が所定の条件を満たしたか判断する。この例で、「所定の条件」として、「無線受信部１１６により受信された無線信号の強度がしきい値未満になった」という条件が用いられる。すなわちこの条件は、「情報表示装置１が所定の部屋の外に持ち出された」という条件とほぼ等しい。この条件が用いられるのは、情報表示装置１に機密情報が記憶されている場合、これを所定の部屋の外に持ち出すことは機密保持の観点から好ましくないからである。所定の条件が満たされていない場合（Ｓ１０２：ＮＯ）、ＣＰＵ１０１は、所定の条件が満たされるまで待機する。所定の条件が満たされた場合（Ｓ１０２：ＹＥＳ）、ＣＰＵ１０１は、処理をステップＳ１０３に移行する。
【００３３】
ステップＳ１０３において、ＣＰＵ１０１は、サブディスプレイにサブ画像を表示する。すなわち、サブ表示制御部１１０は、ＣＰＵ１０１の制御下で、サブ記憶領域に記憶されたデータに従ってサブ表示体１０９を制御し、サブ画像を表示させる。
【００３４】
図７はサブ画像を例示する図である。この例でサブ画像は、メイン画像に重ねて表示されている。サブ画像は、メイン画像のうち、「山田一郎氏」・「山田氏」・「○Ｘ株式会社」という特定の部分を塗りつぶすような画像である。塗りつぶされる部分は、個人情報のように秘匿が要求される情報が表示されている部分である。これによりユーザは、メイン画像のうちサブ画像と重なっている部分を視認することができなくなる。
【００３５】
再び図５を参照して説明する。ステップＳ１０４において、ＣＰＵ１０１は、メイン画像を消去する。この例では、ＣＰＵ１０１は、メイン画像のうちサブ画像（塗りつぶし部分）と対応する部分を消去する。詳細には以下のとおりである。ＣＰＵ１０１は、補助記憶装置１１５からサブ画像を読み出す。ＣＰＵ１０１は、サブ画像で描画されている部分（塗りつぶし部分）を消去するように、メイン画像を編集する。ＣＰＵ１０１は、編集したメイン画像を示すデータをＶＲＡＭ１０４のメイン記憶領域に記憶する。メイン表示制御部１０８は、ＶＲＡＭ１０４に記憶されているデータに従ってメイン表示体１０７を制御し、メイン画像を更新する。
【００３６】
ステップＳ１０５において、ＣＰＵ１０１は、サブ画像を消去する。具体的には、ＣＰＵ１０１は、サブ表示制御部１１０への電力供給を停止するように、電源オン・オフ回路１１１を制御する。サブ表示体１０９は電力の供給が無いと表示を維持できないので、サブ画像は消去される。すなわち、サブ表示体１０９の表示素子の光学状態は、メイン表示体１０７の表示面からの光を透過する状態に変化する。
【００３７】
図８は、更新されたメイン画像を例示する図である。更新されたメイン画像においては、秘匿が要求される情報が消去されている。
【００３８】
再び図５を参照して説明する。ステップＳ１０４において、ＣＰＵ１０１は、情報表示装置１をロックする（Ｓ１０６）。「ロックする」とは通常の操作入力を受け付けない状態にすることをいう。例えばこの状態でユーザが書き換えボタンやページめくりボタンを押しても、メイン画像の書き換えは行われない。ユーザがＵＩボタン群１０６に対して特定の操作を行うことにより、ロックの解除が行われる。
【００３９】
図９は、ロック解除処理を示すフローチャートである。図９のフローは、例えば、「ロック解除」の機能が割り当てられたボタンを押下することを契機として開始される。ステップＳ２０１において、ＣＰＵ１０１は、ユーザに認証情報の入力を要求する。例えば、ＣＰＵ１０１は、メインディスプレイに「指紋認証をします」等のメッセージを表示する。このメッセージを見たユーザは、指紋センサ１１７に自らの指をあて、指紋を読み取らせる。指紋センサ１１７はユーザの指紋を読み取り、読み取った指紋を示す信号をＣＰＵ１０１に出力する。ＣＰＵ１０１は、公知の認証技術を用いてユーザが正規のユーザであるか、すなわち情報表示装置１にあらかじめ登録されたユーザであるか認証する。
【００４０】
ステップＳ２０２において、ＣＰＵ１０１は、ユーザが正規のユーザであると認証されたか判断する。正規のユーザであると認証された場合（Ｓ２０２：ＹＥＳ）、ＣＰＵ１０１は処理をステップＳ２０３に移行する。正規のユーザであると認証されなかった場合（Ｓ２０２：ＮＯ）、ＣＰＵ１０１は処理をステップＳ２０４に移行する。
【００４１】
ステップＳ２０３において、ＣＰＵ１０１は、情報表示装置１のロックを解除する。すなわちこれ以降、ユーザが書き換えボタンやページめくりボタンを押すことにより、メイン画像は更新される。
ステップＳ２０４において、ＣＰＵ１０１は、情報表示装置１のロックを継続する。
【００４２】
以上で説明したように本実施形態によれば、情報表示装置１が所定の部屋の外に持ち出されると、メイン画像のうち秘匿が必要な部分はサブ画像により隠され、さらに消去される。メインディスプレイとして書き換え速度が遅い表示体が用いられる場合でも、それより高速なサブディスプレイに表示される画像により秘匿が必要な部分が隠されるため、本実施形態のような構成を有しない場合と比較して情報の漏洩をより効果的に防止することができる。
【００４３】
３．他の実施形態
本発明は上述の実施形態に限定されるものではなく、種々の変形実施が可能である。以下、変形例をいくつか説明する。以下において、実施形態と共通する事項についてはその説明を省略する。また、実施形態と共通する構成要素については共通の参照符号が用いられる。以下の変形例のうち２つ以上のものが組み合わせて用いられてもよい。
【００４４】
３−１．変形例１
情報表示装置１の状態は、無線信号の強度に限定されない。情報表示装置１の状態として光が検出されてもよい。この場合、情報表示装置１は光センサを有する。光センサは、光の強度を検出し、検出した光の強度に応じた信号を出力する装置である。光センサはＩ／Ｏ１０５に接続されており、光センサから出力された信号はＩ／Ｏ１０５を介してＣＰＵ１０１に入力される。また、光センサは、メイン表示体１０７の表示面の近傍に、表示面と同じ向き（すなわちユーザから視認できる向き）に設けられることが望ましい。この場合、図５のステップＳ１０２における所定の条件として、光センサが検出した光の強度に関する条件、例えば「光の強度がしきい値以上となった」という条件が用いられる。この例によれば、悪意あるユーザが情報表示装置１に表示された画像を複写機でコピーしようとしたときに、サブ画像によりメイン画像が黒く塗りつぶされる。メインディスプレイに図６の画像が表示されている状態でコピーを取ろうとすると、図７のような結果が得られる。
【００４５】
３−２．変形例２
別の例で、情報表示装置１の状態としてボタン等の操作子が操作されたことが検出されてもよい。この場合、情報表示装置１は情報の秘匿の機能が割り当てられたボタン等の操作子を有する。この場合、図５のステップＳ１０２における所定の条件として、「このボタンが押下された」という条件が用いられる。この例によれば、正規ユーザが情報表示装置１の操作をしているときに席を外さなければならなくなったときに、このボタンを押せばユーザが視認できる画像は図７のようになる。
【００４６】
３−３．変形例３
サブ画像は、メイン画像のうち特定の部分に重ねて表示されるものに限定されない。サブ画像は、表示面の全面を黒く塗りつぶす画像であってもよい。この場合、メイン画像は一切視認できなくなるので、メイン画像ごとにサブ画像を用意しなくてもよい。すなわち、補助記憶装置１１５は、メイン画像に対応するサブ画像を記憶していなくてもよい。
【００４７】
３−４．変形例４
メイン画像のうち秘匿されるべき部分を特定するデータは、補助記憶装置１１５にあらかじめ記憶されていなくてもよい。例えば、所定の空間（部屋）に設置されたアンテナから発せられる無線信号が、メイン画像のうち秘匿されるべき部分を特定するデータ（以下「秘匿特定データ」という）を含んでいてもよい。例えば、秘匿特定データは、メイン画像のうち特定の位置を塗りつぶすことを指定するデータである。あるいは、秘匿特定データは、「固有名詞」・「日付」・「金額」など、キーワード（あるいは属性）を含むものであってもよい。この場合、メイン画像において、あるデータのまとまりに対してあらかじめキーワードが与えられている。例えば図６において、「山田一郎氏」、「山田氏」および「○×株式会社」の部分にキーワード「固有名詞」が割り当てられ、「２００７年１０月２５日」の部分にキーワード「日付」が割り当てられている。例えば、無線受信部１１６が受信する無線信号が「固有名詞」を示しているときに図５のステップＳ１０２における所定の条件が満たされた場合、キーワード「固有名詞」に対応する部分が秘匿される。あるいは、無線受信部１１６が受信する無線信号が「日付」を示しているときに図５のステップＳ１０２における所定の条件が満たされた場合、キーワード「日付」に対応する部分が秘匿される。
【００４８】
３−５．変形例５
あるいは、変形例４においてキーワードとして文書中に含まれる具体的な語が指定されてもよい。例えば、無線信号は「山田一郎氏」という語を指定するものであってもよい。この場合、図５のステップＳ１０２における所定の条件が満たされると、メイン画像のうちキーワードに一致する語に対応する部分が秘匿される。
【００４９】
３−６．変形例６
変形例４や５において、キーワードは無線信号ではなく、ＵＩボタン群１０６を介して入力されてもよい。あるいは、有線接続されたコンピュータ装置から入力されてもよい。また、無線信号に代わり、赤外線や可視光などの光信号が用いられてもよい。
【００５０】
３−７．他の変形例
図５のステップＳ１０４においてメイン画像を消去する際は、秘匿が要求される部分だけでなく、メイン画像のすべてが消去されてもよい。
【００５１】
メインディスプレイおよびサブディスプレイの表示面の形状は、四角形でなくてもよい。多角形・楕円形・これらの組み合わせなど、どのような形状でもよい。
【００５２】
図１に示される機能構成要素のうち１つ以上のものが省略されてもよい。実施形態および変形例またはその組み合わせにより不要の要素については、省略されてもよい。例えばサブ画像として表示面の全面を塗りつぶすような構成（変形例３）の場合、秘匿部分記憶部１７は省略されてもよい。
【００５３】
情報表示装置１のハードウェア構成は、図２に示されるものに限定されない。必要な機能構成を実現できるものであれば、どのようなハードウェア構成が採用されてもよい。例えば、単一の装置が、図１の機能構成要素のうち複数の機能を有していてもよい。あるいは、複数の装置の集合体が、単一の機能を有していてもよい。
【００５４】
サブ表示体１０９は、記憶性表示体を用いたものでもよい。要はメイン表示体１０７よりも書き換え速度が速いものであればどのような表示体が用いられてもよい。
【００５５】
ユーザ認証を行う手段は、指紋認証に限定されない。虹彩認証・静脈認証・その他の生体認証、あるいは、パスワード認証など公知の認証技術が用いられてもよい。
【００５６】
情報表示装置が記憶および実行するプログラムは、磁気テープ、磁気ディスク、フレキシブルディスク、光記録媒体、光磁気記録媒体、ＣＤ（Compact Disk）、ＤＶＤ（Digital Versatile Disk）、フラッシュＲＯＭなどの記録媒体に記録した状態で提供されてもよい。
【図面の簡単な説明】
【００５７】
【図１】本発明の一実施形態に係る情報表示装置１の機能構成を示す図である。
【図２】情報表示装置１のハードウェア構成を示す図である。
【図３】情報表示装置１の外観を示す図である。
【図４】メイン表示体１０７およびサブ表示体１０９の配置を示す分解斜視図である。
【図５】情報表示装置１の動作を示すフローチャートである。
【図６】メイン画像を例示する図である。
【図７】サブ画像を例示する図である。
【図８】更新されたメイン画像を例示する図である。
【図９】ロック解除処理を示すフローチャートである。
【符号の説明】
【００５８】
１…情報表示装置、１１…表示体、１２…表示体、１３…表示制御部、１４…表示制御部、１５…検出部、１６…画像記憶部、１７…秘匿部分記憶部、１８…認証部、１０１…ＣＰＵ、１０２…ＲＯＭ、１０３…ＲＡＭ、１０４…ＶＲＡＭ、１０５…Ｉ／Ｏ、１０６…ＵＩボタン群、１０７…メイン表示体、１０８…メイン表示制御部、１０９…サブ表示体、１１０…サブ表示制御部、１１１…電源オン・オフ回路、１１２…電源制御部、１１３…電池、１１４…バス、１１５…補助記憶装置、１１６…無線受信部、１１７…指紋センサ
【図１】
2009122434.tif 000003
【図２】
2009122434.tif 000004
【図３】
2009122434.tif 000005
【図４】
2009122434.tif 000006
【図５】
2009122434.tif 000007
【図６】
2009122434.tif 000008
【図７】
2009122434.tif 000009
【図８】
2009122434.tif 000010
【図９】
2009122434.tif 000011